【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
複数のセルユニットを備え、前記複数のセルユニットの接続状態を切替可能な電池パックであって、
各セルユニットの正極又は負極に接続された切替端子群を共通のスロット内に隣接配置し、電気機器本体の端子が前記スロット内に挿入され、前記電気機器本体の端子によって前記切替端子群が短絡されることで前記複数のセルユニットの接続状態を切り替え可能としたことを特徴とする電池パック。
【請求項２】
請求項１に記載された前記電池パックと、前記電池パックに接続可能な高電圧の前記電気機器本体とを有する電気機器であって、
前記電気機器本体は、前記複数のセルユニットを互いに直列に接続する短絡子を有し、
前記電池パックが高電圧の前記電気機器本体に接続されたときには、前記切替端子群を構成する複数の端子のうち少なくともいずれか一つの端子が前記短絡子に接続されて、前記複数のセルユニットが互いに直列に接続され、
前記電池パックが高電圧の前記電気機器本体に接続されていないときには、前記切替端子群を構成する複数の端子のうちいずれの端子も前記短絡子に接続されず、前記複数のセルユニットが互いに遮断されるように構成したことを特徴とする電気機器。
【請求項３】
請求項１に記載された前記電池パックと、前記電池パックに接続可能な低電圧の前記電気機器本体とを有する電気機器であって、
前記電気機器本体は、前記複数のセルユニットを互いに並列に接続する入力端子を有し、
前記電池パックが低電圧の前記電気機器本体に接続されたときには、前記切替端子群を構成する複数の端子のうち少なくとも二つの端子が前記入力端子に接続されて、前記複数のセルユニットが互いに並列に接続され、
前記電池パックが低電圧の前記電気機器本体に接続されていないときには、前記切替端子群を構成する複数の端子のうちいずれの端子も前記入力端子に接続されず、前記複数のセルユニットが互いに遮断されるように構成したことを特徴とする電気機器。
【請求項４】
請求項１に記載された前記電池パックと、前記電池パックに接続可能な高電圧の電気機器本体と、前記電池パックに接続可能な低電圧の電気機器本体を有する電気機器システムであって、
前記高電圧の電気機器本体は、前記複数のセルユニットを互いに直列に接続する短絡子を有し、前記電池パックが前記高電圧の電気機器本体に接続されたときには、前記切替端子群を構成する複数の端子のうち少なくともいずれか一つの端子が前記短絡子に接続されて、前記複数のセルユニットが互いに直列に接続され、
前記低電圧の電気機器本体は、前記複数のセルユニットを互いに並列に接続する入力端子を有し、前記電池パックが前記低電圧の電気機器本体に接続されたときには、前記切替端子群を構成する複数の端子のうち少なくとも二つの端子が前記入力端子に接続されて、前記複数のセルユニットが互いに並列に接続され、
前記電池パックが前記高電圧及び前記低電圧の電気機器本体のいずれにも接続されていないときには、前記切替端子群を構成する複数の端子のうちいずれの端子も前記短絡子及び前記入力端子に接続されず、前記複数のセルユニットが互いに遮断されるように構成したことを特徴とする電気機器システム。
【請求項５】
請求項１に記載された前記電池パックであって、
前記電池パックは、前記電池パックの左右において前後方向に延びる一対のレールと、前記一対のレールの間で左右方向に並ぶ第１及び第２のスロットとを有し、
前記切替端子群は、前記複数のセルユニットを構成する各々のセルユニットの正極に接続された複数の正極端子を前記第１のスロット内に隣接配置して構成される第１の切替端子群と、前記複数のセルユニットを構成する各々のセルユニットの負極に接続された複数の負極端子を前記第２のスロット内に隣接配置して構成される第２の切替端子群とを有することを特徴とする電池パック。
【請求項６】
請求項５に記載された前記電池パックと、前記電池パックに接続可能な高電圧の前記電気機器本体とを有する電気機器であって、
前記電気機器本体は、前記複数のセルユニットを互いに直列に接続する短絡子を有し、
前記電池パックが高電圧の前記電気機器本体に接続されたときには、前記第１の切替端子群を構成する複数の正極端子のうち少なくともいずれか一つの正極端子が前記短絡子に接続されるとともに、前記第２の切替端子群を構成する複数の負極端子のうち少なくともいずれか一つの負極端子が前記短絡子に接続され、前記複数のセルユニットが互いに直列に接続され、
前記電池パックが高電圧の前記電気機器本体に接続されていないときには、前記第１及び第２の切替端子群を構成する複数の端子のうちいずれの端子も前記短絡子に接続されず、前記複数のセルユニットが互いに遮断されるように構成したことを特徴とする電気機器。
【請求項７】
請求項５に記載された前記電池パックと、前記電池パックに接続可能な低電圧の前記電気機器本体とを有する電気機器であって、
前記電気機器本体は、前記複数のセルユニットを互いに並列に接続する正極入力端子及び負極入力端子を有し、
前記電池パックが低電圧の前記電気機器本体に接続されたときには、前記第１の切替端子群を構成する複数の正極端子のうち少なくとも二つの正極端子が前記正極入力端子に接続されて互いに電気的に短絡するとともに、前記第２の切替端子群を構成する複数の負極端子のうち少なくとも二つの負極端子が前記負極入力端子に接続されて互いに電気的に短絡し、前記複数のセルユニットが互いに並列に接続され、
前記電池パックが低電圧の前記電気機器本体に接続されていないときには、前記第１及び第２の切替端子群を構成する複数の端子のうちいずれの端子も前記正極入力端子及び負極入力端子に接続されず、前記複数のセルユニットが互いに遮断されるように構成したことを特徴とする電気機器。
【請求項８】
請求項５に記載された前記電池パックと、前記電池パックに接続可能な高電圧の電気機器本体と、前記電池パックに接続可能な低電圧の電気機器本体を有する電気機器システムであって、
前記高電圧の電気機器本体は、前記複数のセルユニットを互いに直列に接続する短絡子を有し、前記電池パックが前記高電圧の電気機器本体に接続されたときには、前記第１の切替端子群を構成する複数の正極端子のうち少なくともいずれか一つの正極端子が前記短絡子に接続されるとともに、前記第２の切替端子群を構成する複数の負極端子のうち少なくともいずれか一つの負極端子が前記短絡子に接続され、前記複数のセルユニットが互いに直列に接続され、
前記低電圧の電気機器本体は、前記複数のセルユニットを互いに並列に接続する正極入力端子及び負極入力端子を有し、前記電池パックが前記低電圧の電気機器本体に接続されたときには、前記第１の切替端子群を構成する複数の正極端子のうち少なくとも二つの正極端子が前記正極入力端子に接続されて互いに電気的に短絡するとともに、前記第２の切替端子群を構成する複数の負極端子のうち少なくとも二つの負極端子が前記負極入力端子に接続されて互いに電気的に短絡し、前記複数のセルユニットが互いに並列に接続され、
前記電池パックが高電圧又は低電圧の前記電気機器本体にいずれにも接続されていないときには、前記第１及び第２の切替端子群を構成する複数の端子のうちいずれの端子も、前記短絡子及び前記正極入力端子及び負極入力端子に接続されず、前記複数のセルユニットが互いに遮断されるように構成したことを特徴とする電気機器システム。
【請求項９】
請求項５に記載された前記電池パックであって、
前記第１の切替端子群を構成する複数の正極端子は前記第１のスロット内において左右方向と略直交する方向に並ぶよう配置されるとともに、前記第２の切替端子群を構成する複数の負極端子は前記第２のスロット内において左右方向と略直交する方向に並ぶよう配置されることを特徴とする電池パック。
【請求項１０】
請求項９に記載された前記電池パックと、前記電池パックに接続可能な高電圧の前記電気機器本体とを有する電気機器であって、
前記電気機器本体は、前記複数のセルユニットを互いに直列に接続する短絡子を有し、
前記短絡子は、左右方向と略直交する方向に延びる第１及び第２の端子部と、第１の端子部と第２の端子部を接続する接続部とを有し、
前記電池パックが高電圧の前記電気機器本体に接続されたときには、前記第１の切替端子群を構成する複数の正極端子のうち少なくともいずれか一つの正極端子が前記短絡子の第１の端子部に接続されるとともに、前記第２の切替端子群を構成する複数の負極端子のうち少なくともいずれか一つの負極端子が前記短絡子の第２の端子部に接続され、前記複数のセルユニットが互いに直列に接続され、
前記電池パックが高電圧の前記電気機器本体に接続されていないときには、前記第１及び第２の切替端子群を構成する複数の端子のうちいずれの端子も前記短絡子に接続されず、前記複数のセルユニットが互いに遮断されるように構成したことを特徴とする電気機器。
【請求項１１】
請求項９に記載された前記電池パックと、前記電池パックに接続可能な低電圧の前記電気機器本体とを有する電気機器であって、
前記電気機器本体は、前記複数のセルユニットを互いに並列に接続する正極入力端子及び負極入力端子を有し、
前記正極入力端子及び負極入力端子は、左右方向と略直交する方向に延びるよう構成され、
前記電池パックが低電圧の前記電気機器本体に接続されたときには、前記第１の切替端子群を構成する複数の正極端子のうち少なくとも二つの正極端子が前記正極入力端子に接続されて互いに電気的に短絡するとともに、前記第２の切替端子群を構成する複数の負極端子のうち少なくとも二つの負極端子が前記負極入力端子に接続されて互いに電気的に短絡し、前記複数のセルユニットが互いに並列に接続され、
前記電池パックが低電圧の前記電気機器本体に接続されていないときには、前記第１及び第２の切替端子群を構成する複数の端子のうちいずれの端子も前記正極入力端子及び負極入力端子に接続されず、前記複数のセルユニットが互いに遮断されるように構成したことを特徴とする電気機器。
【請求項１２】
請求項９に記載された前記電池パックと、
左右方向と略直交する方向に延びる第１及び第２の端子部と、第１の端子部と第２の端子部を接続する接続部とを有し前記複数のセルユニットを互いに直列に接続する短絡子を有し、前記電池パックが接続されたときには、前記第１の切替端子群を構成する複数の正極端子のうち少なくともいずれか一つの正極端子が前記短絡子の第１の端子部に接続されるとともに、前記第２の切替端子群を構成する複数の負極端子のうち少なくともいずれか一つの負極端子が前記短絡子の第２の端子部に接続され、前記複数のセルユニットが互いに直列に接続され、前記電池パックが高電圧の前記電気機器本体に接続されていないときには、前記第１及び第２の切替端子群を構成する複数の端子のうちいずれの端子も前記短絡子に接続されず、前記複数のセルユニットが互いに遮断されるように構成した高電圧の前記電気機器本体と、
正極入力端子及び負極入力端子は、左右方向と略直交する方向に延びるよう構成され、前記電池パックが低電圧の前記電気機器本体に接続されたときには、前記第１の切替端子群を構成する複数の正極端子のうち少なくとも二つの正極端子が前記正極入力端子に接続されて互いに電気的に短絡するとともに、前記第２の切替端子群を構成する複数の負極端子のうち少なくとも二つの負極端子が前記負極入力端子に接続されて互いに電気的に短絡し、前記複数のセルユニットが互いに並列に接続され、前記電池パックが低電圧の前記電気機器本体に接続されていないときには、前記第１及び第２の切替端子群を構成する複数の端子のうちいずれの端子も前記正極入力端子及び負極入力端子に接続されず、前記複数のセルユニットが互いに遮断されるように構成した低電圧の前記電気機器本体と、を有する電気機器システム。
【請求項１３】
前記正極に接続された前記切替端子群は電気的に独立した上側端子と下側端子であり、
前記負極に接続された前記切替端子群は電気的に独立した上側端子と下側端子であり、
前記正極の前記上側端子と前記負極の前記下側端子が第１のセルユニットに接続され、
前記正極の前記下側端子の前記負極の前記上側端子が第２のセルユニットに接続されることを特徴とする請求項１に記載の電池パック。
【請求項１４】
請求項１、請求項５、請求項９又は請求項１３のいずれか一に記載された電池パックにおいて、
前記切替端子群を構成する複数の端子の間に絶縁性の仕切り壁を設け、前記仕切り壁は、前記電気機器本体の端子が前記切替端子群と接続することを許容するよう構成したことを特徴とする電池パック。
【請求項１５】
請求項１から請求項１４のいずれか一に記載された電池パックであって、
前記切替端子群を構成する一の端子は、前記複数のセルユニットよりも上方の位置に配置されるとともに、前記複数のセルユニットを構成する一のセルユニットが有する一の電池セルに接続され、
前記切替端子群を構成する他の切替端子は、前記複数のセルユニットよりも上方の位置に配置されるとともに、前記複数のセルユニットを構成する他のセルユニットが有する他の電池セルに接続され、
前記他の切替端子を前記一の切替端子よりも上方又は後方の位置に配置するとともに、前記他の電池セルを前記一の電池セルよりも後方の位置に配置したことを特徴とする電気機器システム。
【請求項１６】
所定の電圧で動作する高電圧の電気機器本体と、前記電気機器本体に接続可能な電池パックと、を有する電気機器であって、
前記電池パックは、少なくとも一つのセルを有する複数のセルユニットと、前記複数のセルユニットの正極からそれぞれ延びる複数の正極端子を隣接するよう配置して構成された正極端子群と、前記複数のセルユニットの負極からそれぞれ延びる複数の負極端子を隣接するよう配置して構成された負極端子群と、前記複数のセルユニット、正極端子群及び負極端子群を収容するハウジングと、を有し、
前記高電圧の電気機器本体は、前記複数の正極端子のうち一の正極端子と接続可能な高電圧用の正極入力端子と、前記複数の負極端子のうち一の負極端子と接続可能な高電圧用の負極入力端子と、前記複数の正極端子のうち他の正極端子と前記複数の負極端子のうち他の負極端子との両方に接続可能な短絡子とを有し、
前記電池パックが前記高電圧の電気機器本体に接続されたときに、前記一の正極端子が前記高電圧用の正極入力端子と篏合し、前記一の負極端子が前記高電圧用の負極入力端子と篏合し、前記他の正極端子及び前記他の負極端子が前記短絡子を介して電気的に接続され、前記複数のセルユニットが互いに直列に接続され、
前記電池パックが前記高電圧の電気機器本体に接続されないときに、前記複数のセルユニットが互いに遮断されるよう構成したことを特徴とする電気機器。
【請求項１７】
請求項１６に記載された電気機器において、
前記電池パックは、情報又は信号を入力または出力する信号端子を有し、
前記信号端子を、前記正極端子群と前記負極端子群の間の位置に配置したことを特徴とする電気機器。
【請求項１８】
請求項１６又は請求項１７に記載された電気機器において、
前記電池パックのハウジングは、前記正極端子群と対応する位置に設けられた第１のスロットと、前記負極端子群と対応する位置に設けられた第２のスロットとを有し、
前記電池パックが前記高電圧の電気機器本体に接続されたときに、前記高電圧用の正極入力端子が前記第１のスロットに挿入されて前記一の正極端子と篏合し、前記高電圧用の負極入力端子が前記第２のスロットに挿入されて前記一の負極端子と篏合するよう構成したことを特徴とする電気機器。
【請求項１９】
請求項１６から請求項１８のいずれか一に記載された電気機器において、
前記正極端子群は前記複数のセルユニットよりも上方の位置に配置され、
前記正極端子群を構成する一の正極端子は、前記複数のセルユニットを構成する一のセルユニットが有する一の電池セルに対して、一の接続部材を介して接続され、
前記正極端子群を構成する他の正極端子は、前記複数のセルユニットを構成する他のセルユニットが有する他の電池セルに対して、他の接続部材を介して接続され、
前記他の正極端子を前記一の正極端子よりも上方又は後方の位置に配置するとともに前記他の電池セルを前記一の電池セルよりも後方の位置に配置するか、あるいは、前記他の正極端子を前記一の正極端子よりも下方又は前方の位置に配置するとともに前記他の電池セルを前記一の電池セルよりも前方の位置に配置したことを特徴とする電気機器。
【請求項２０】
請求項１６から請求項１９のいずれか一に記載された電気機器において、
前記電池パックは、前記正極端子群及び負極端子群が接続された回路基板を有し、
前記一の接続部材は、前記回路基板に設けられた一の配線パターンを有し、前記他の接続部材は、前記回路基板に設けられた他の配線パターンを有し、前記他の配線パターンを前記一の配線パターンよりも後方に配置するか、あるいは、前記他の配線パターンを前記一の配線パターンよりも前方に配置したことを特徴とする電気機器。
【請求項２１】
請求項１６から請求項２０のいずれか一に記載された電気機器において、
前記電池パック又は前記高電圧の電気機器本体は、前記電池パックが前記高電圧の電気機器本体に接続された状態で、前記正極端子群を構成する一の正極端子と他の正極端子との間に延びる絶縁性の部材で構成された端子間絶縁部材を有することを特徴とする電気機器。
【請求項２２】
請求項２１に記載された電気機器において、
前記端子間絶縁部材は、前記電池パックが前記所定の電圧よりも低い電圧で動作する低電圧の電気機器本体に接続された状態で、前記正極端子群を構成する前記複数の正極端子が前記低電圧用の正極入力端子と篏合することを許容するよう構成されたことを特徴とする電気機器。
【請求項２３】
請求項１６から請求項２１のいずれか一に記載された電気機器と、前記所定の電圧よりも低い電圧で動作する低電圧の電気機器本体と、を有する電気機器システムであって、
前記低電圧の電気機器本体は、前記正極端子群を構成する前記複数の正極端子と接続可能な低電圧用の正極入力端子と、前記負極端子群を構成する前記複数の負極端子と接続可能な低電圧用の負極入力端子とを有し、
前記電池パックが前記低電圧の電気機器本体に接続されたときに、前記複数の正極端子が前記低電圧用の正極入力端子と篏合し、前記複数の負極端子が前記低電圧用の負極入力端子と篏合し、前記複数のセルユニットが互いに並列に接続されるよう構成したことを特徴とする電気機器システム。
【請求項２４】
所定の電圧で動作する低電圧の電気機器本体と、前記所定の電圧よりも高い電圧で動作する高電圧の電気機器本体と、前記低電圧及び高電圧の電気機器本体に接続可能な電池パックと、を有する電気機器システムであって、
前記電池パックは、少なくとも一つのセルを有する複数のセルユニットと、前記複数のセルユニットに接続された複数の切替端子を互いに隣接するように配置して構成された第１の切替端子群と、前記複数のセルユニット及び第１の切替端子群を収容するハウジングと、を有し、
前記低電圧の電気機器本体は、前記第１の切替端子群と篏合可能な第１の低電圧用の切替素子を有し、
前記高電圧の電気機器本体は、前記第１の切替端子群と篏合可能な第１の高電圧用の切替素子であって、前記第１の低電圧用の切替素子とは異なる構造で構成された第１の高電圧用の切替素子を有し、
前記低電圧の電気機器本体が前記電池パックに接続されたときには、前記第１の低電圧用の切替素子が前記第１の切替端子群と篏合し、前記複数のセルユニットが互いに並列に接続され、
前記高電圧の電気機器本体が前記電池パックに接続されたときには、前記第１の高電圧用の切替素子が前記第１の切替端子群と篏合し、前記複数のセルユニットが互いに直列に接続されるよう構成したことを特徴とする電気機器システム。
【請求項２５】
請求項２４に記載された電気機器システムにおいて、
前記電池パックは、前記第１の切替端子群とは別に、前記複数のセルユニットに接続された複数の切替端子を隣接するよう配置して構成された第２の切替端子群を有し、
前記低電圧の電気機器本体は、前記第２の切替端子群と篏合可能な第２の低電圧用の切替素子を有し、
前記高電圧の電気機器本体は、前記第２の切替端子群と篏合可能な第２の高電圧用の切替素子であって、前記第２の低電圧用の切替素子とは異なる構造で構成された第２の高電圧用の切替素子を有し、
前記電池パックが前記低電圧の電気機器本体に接続されたときには、前記第１の切替端子群と前記第１の低電圧用の切替素子が篏合し、前記第２の切替端子群と前記第２の低電圧用の切替素子が篏合し、前記複数のセルユニットが互いに並列に接続され、
前記電池パックが前記高電圧の電気機器本体に接続されたときには、前記第１の切替端子群と前記第１の高電圧用の切替素子が篏合し、前記第２の切替端子群と前記第２の高電圧用の切替素子が篏合し、前記複数のセルユニットが互いに直列に接続されるよう構成したことを特徴とする電気機器システム。
【請求項２６】
請求項２４又は請求項２５に記載された電気機器システムにおいて、
前記電池パックが前記低電圧又は高電圧の電気機器本体に接続されていないときには、前記複数のセルユニットが互いに接続されないよう構成したことを特徴とする電気機器システム。
【請求項２７】
請求項２４から請求項２６のいずれか一に記載された電気機器システムにおいて、
前記低電圧の電気機器本体が有する前記第１又は第２の低電圧用の切替素子は、前記第１の切替端子群を構成する前記複数の切替端子を互いに接続して同じ電位となるよう構成され、
前記高電圧の電気機器本体が有する前記第１又は第２の高電圧用の切替素子は、前記第１の切替端子群を構成する前記複数の切替素子を互いに分離して異なる電位となるよう構成されることを特徴とする電気機器システム。
【請求項２８】
請求項２４から請求項２７のいずれか一に記載された電気機器システムにおいて、
前記第１の切替端子群は、前記複数のセルユニットの正極からそれぞれ延びる複数の正極端子を隣接するよう配置して構成された正極端子群として構成され、前記第２の切替端子群は、前記複数のセルユニットの負極からそれぞれ延びる複数の負極端子を隣接するよう配置して構成された負極端子群として構成され、
前記第１の低電圧用の切替素子は、前記正極端子群を構成する複数の正極端子を互いに接続可能に構成され、前記第２の低電圧用の切替素子は、前記負極端子群を構成する複数の負極端子を互いに接続可能に構成され、
前記第１の高電圧用の切替素子は、前記複数の正極端子のうち一の正極端子に篏合可能な正極入力端子と、他の正極端子に篏合可能な第１の短絡子とを有し、前記第２の高電圧用の切替素子は、前記複数の負極端子のうち一の負極端子に篏合可能な負極入力端子と、他の負極端子に篏合可能な第２の短絡子とを有し、前記第１及び第２の短絡子は互いに接続されており、
前記電池パックが前記低電圧の電気機器本体に接続されたときには、前記正極端子群と前記第１の低電圧用の切替素子が篏合して、前記複数の正極端子が互いに接続され、前記負極端子群と前記第２の低電圧用の切替素子が篏合して、前記複数の負極端子が互いに接続され、前記複数のセルユニットが互いに並列に接続され、
前記電池パックが前記高電圧の電気機器本体に接続されたときには、前記一の正極端子と前記正極入力端子が篏合し、前記他の正極端子と前記第１の短絡子が篏合し、前記一の負極端子と前記負極入力端子が篏合し、前記他の負極端子と前記第２の短絡子が篏合し、前記複数のセルユニットが互いに直列に接続されるよう構成したことを特徴とする電気機器システム。
【請求項２９】
請求項２４から請求項２８のいずれか一に記載された電気機器システムにおいて、
前記電池パックのハウジングは、前記第１の切替端子群を構成する複数の切替端子と対応する位置に設けられた１つの第１のスロットを有し、
前記第１のスロットは、前記第１の低電圧用の切替素子と前記第１の高電圧用の切替素子が前記第１のスロットに挿入されて前記第１の切替端子群と篏合することを許容するよう構成されたことを特徴とする電気機器システム。
【請求項３０】
請求項２４から請求項２９のいずれか一に記載された電気機器システムであって、
前記第１の切替端子群を構成する一の切替端子は、前記複数のセルユニットを構成する一のセルユニットが有する一の電池セルに対して、一の接続部材を介して接続され、
前記第１の切替端子群を構成する他の切替端子は、前記複数のセルユニットを構成する他のセルユニットが有する他の電池セルに対して、他の接続部材を介して接続され、
前記他の切替端子を前記一の切替端子よりも上方又は後方の位置に配置するとともに前記他の電池セルを前記一の電池セルよりも後方の位置に配置するか、あるいは、前記他の切替端子を前記一の切替端子よりも下方又は前方の位置に配置するとともに前記他の電池セルを前記一の電池セルよりも前方の位置に配置したことを特徴とする電気機器システム。
【請求項３１】
請求項３０に記載された電気機器システムにおいて、
前記電池パックは、前記第１の切替端子群が接続された回路基板を有し、
前記一の接続部材は、前記回路基板に設けられた一の配線パターンを有し、前記他の接続部材は、前記回路基板に設けられた他の配線パターンを有し、前記他の配線パターンを前記一の配線パターンよりも後方に配置するか、あるいは、前記他の配線パターンを前記一の配線パターンよりも前方に配置したことを特徴とする電気機器。
【請求項３２】
請求項３１に記載された電気機器システムにおいて、
前記電池パック、前記低電圧の電気機器本体、又は前記高電圧の電気機器本体の少なくともいずれかは、前記電池パックが前記高電圧の電気機器本体に接続された状態で、前記正極端子群を構成する一の正極端子と他の正極端子との間に延びる絶縁性の部材で構成された端子間絶縁部材を有することを特徴とする電気機器システム。
【請求項３３】
請求項３２に記載された電気機器システムであって、
前記端子間絶縁部材は、前記電池パックが前記低電圧又は高電圧の電気機器本体に接続された状態で、前記第１の切替端子群が前記第１の低電圧用又は高電圧用の切替素子と篏合することを許容するよう構成されたことを特徴とする電気機器。